(57)【要約】【課題】封緘後も好ましい外観を呈し、しかも、容易にかつ、きれいに開封することができるようにした収納袋を提供する。【解決手段】三辺１１、１３、１５を密閉し、残りの一辺１７を開口部とし、該開口部には折線１を介して封緘用の折返し片２を備えさせ、該折返し片の端縁２５に沿って折返し片側接着部２７を設けてなる四角形の収納袋において、該折返し片における該折返し片側接着部の該折線側の縁部２７ａ近傍に一本の弱め線２８を形成し、収納袋本体８には該折返し片側接着部に対応する本体側接着部２９を設け、該本体側接着部における相対向する一対の長さ方向の縁部２９ａにはそれぞれ切り込み線３１を形成し、該収納袋本体における該切り込み線間に接着剤３３を配設したことを特徴とする収納袋。  【選択図】図１
2011184055.tif 000002
【特許請求の範囲】
【請求項１】
三辺を密閉し、残りの一辺を開口部とし、該開口部には折線を介して封緘用の折返し片を備えさせ、該折返し片の端縁に沿って折返し片側接着部を設けてなる四角形の収納袋において、
該折返し片における該折返し片側接着部の該折線側の縁部近傍に一本の弱め線を形成し、収納袋本体には該折返し片側接着部に対応する本体側接着部を設け、該本体側接着部における相対向する一対の長さ方向の縁部にはそれぞれ切り込み線を形成し、該収納袋本体における該切り込み線間に接着剤を配設したことを特徴とする収納袋。
【請求項２】
前記各切り込み線は、収納袋本体を形成する紙材の表面化粧層よりも深く形成したことを特徴とする請求項１に記載の収納袋。
【請求項３】
前記本体側接着部の端部には、前記切り込み線と直角の切り込み補助線を形成したことを特徴とする請求項１又は２に記載の収納袋。
【請求項４】
前記切り込み補助線は、収納袋本体を形成する紙材の表面化粧層よりも深く形成したことを特徴とする請求項３に記載の収納袋。
【発明の詳細な説明】
【技術分野】
【０００１】
本発明は、封筒状の収納袋に関するものであり、特に、容易にかつ、きれいに開封することができるようにした板紙製等の大型の収納袋に係るものである。
【背景技術】
【０００２】
このような収納袋としては、特開２００１−１０６４０号公報に示す収納袋（以下［従来の収納袋］という。）が既に知られている。
【０００３】
従来の収納袋は、図７［特開２００１−１０６４０号公報における図２（ｂ）］に示すように、三辺を密閉し、残りの一辺を開口部とし、該開口部には折線１を介して封緘用の折返し片２を備えさせてなる四角形の収納袋において、該折返し片２の端縁３に沿って接着部４を設け、該接着部４と折線１との間に多数のＹ字状の切り込みを連設してなる弱め線５ａ、５ｂを二本平行に形成し、該弱め線５ａ、５ｂ間の部分を開封用のジッパー６としたことを特徴とするものである。
【先行技術文献】
【特許文献】
【０００４】
【特許文献１】特開２００１−１０６４０号公報
【発明の概要】
【発明が解決しようとする課題】
【０００５】
しかるに、上記従来の収納袋においては、折返し片２における接着部４と折線１との間の非接着部に、多数のＹ字状の切り込みを連設してなる平行な二本の弱め線５ａ、５ｂが形成されているため、折返し片２を封緘した後、折返し片２が特に折線１側の弱め線５ｂにて折曲し、折返し辺２における該弱め線５ｂと折線１との間の部分７が膨らむおそれがある。
【０００６】
更に、上記従来の収納袋においては、ジッパー６を剥ぎ取って折返し片２を開封したときに、折返し片２における前記接着部４が収納袋本体に残存する（図７における符号４’参照）ため、体裁上好ましくない。
【０００７】
本発明は、上記従来の収納袋における上述の如き問題を解決し、封緘後も好ましい外観を呈し、しかも、容易にかつ、きれいに開封することができるようにした収納袋を提供しようとしてなされたものである。
【課題を解決するための手段】
【０００８】
上記課題を解決するために、本発明は、下記の収納袋を提供する。
【０００９】
（１）三辺を密閉し、残りの一辺を開口部とし、該開口部には折線を介して封緘用の折返し片を備えさせ、該折返し片の端縁に沿って折返し片側接着部を設けてなる四角形の収納袋において、
該折返し片における該折返し片側接着部の該折線側の縁部近傍に一本の弱め線を形成し、収納袋本体には該折返し片側接着部に対応する本体側接着部を設け、該本体側接着部における相対向する一対の長さ方向の縁部にはそれぞれ切り込み線を形成し、該収納袋本体における該切り込み線間に接着剤を配設したことを特徴とする収納袋（請求項１）。
【００１０】
（２）前記各切り込み線は、収納袋本体を形成する紙材の表面化粧層よりも深く形成する（請求項２）。
【００１１】
（３）前記本体側接着部の端部には、前記切り込み線と直角の切り込み補助線を形成する（請求項３）。
【００１２】
（４）前記切り込み補助線は、収納袋本体を形成する紙材の表面化粧層よりも深く形成する（請求項４）。
【発明の効果】
【００１３】
［請求項１の発明］
折返し片には、折返し片側接着部の折線側の縁部近傍に弱め線を一本のみ形成しているため、該折返し片を封緘した後、該折返し片が該弱め線にて折曲し、該折返し辺における該弱め線と折線との間の部分が膨らむという問題は解消する。
【００１４】
収納袋本体における本体側接着部の相対向する一対の長さ方向の縁部にはそれぞれ切り込み線を形成し、収納袋本体における該切り込み線間に接着剤を配設しているため、開封時に折返し片における折返し片側接着部を収納袋本体から離れる方向に引いたときには、折返し片側接着部は本体側接着部から容易かつきれいに剥がれる。このとき、本体側接着部は切り込み線を越えて破壊されることがない。
【００１５】
折返し片の端縁に沿って設けられた折返し片側接着部が本体側接着部から剥がれるため、本体側接着部には折返し片が全く残存しない。したがって、収納袋は封緘後も好ましい外観を呈する。
【００１６】
［請求項２の発明］
前記各切り込み線は、収納袋本体を形成する紙材の表面化粧層よりも深く形成されるため、紙材の表面化粧層は該切り込み線により予め切断されている。したがって、折返し片側接着部が本体側接着部から剥がれる際に、収納袋本体における表面化粧層が本体側接着部の切り込み線を越えて破壊されることは確実に防止される。したがって、収納袋は封緘後も確実に好ましい外観を呈する。
【００１７】
［請求項３の発明］
本体側接着部の端部には、前記切り込み線と直角の切り込み補助線を形成しているため、折返し片側接着部は本体側接着部から容易かつ確実に剥がれる。
【００１８】
［請求項４の発明］
前記切り込み補助線は、収納袋本体を形成する紙材の表面化粧層よりも深く形成されるため、紙材の表面化粧層は該切り込み補助線により予め切断されている。したがって、折返し片側接着部が本体側接着部から剥がれる際に、収納袋本体における表面化粧層が本体側接着部の切り込み線を越えて破壊されることは確実に防止される。したがって、収納袋は封緘後も確実に好ましい外観を呈する。
【図面の簡単な説明】
【００１９】
【図１】図１は、折返し片側接着部を本体側接着部から剥がしている状態を示す斜視図である。
【図２】図２は、本体側接着部と該本体側接着部に配設される接着剤とを示す斜視図である。
【図３】図３は、封緘した状態の収納袋を示す斜視図である。
【図４】図４は、収納袋の展開図である。
【図５】図５は、本体側接着部を示す断面図である。
【図６】図６は、折返し片側接着部を本体側接着部から剥がしている状態を示す断面図である。
【図７】図７は、従来の収納袋を示す斜視図である。
【発明を実施するための形態】
【００２０】
本発明による収納袋は、板紙等の紙材により形成した大型の四角形の収納袋であって、符号８に示すものは四角形の収納袋本体、符号９に示すものは収納袋本体８における裏面部である。
【００２１】
すなわち、本発明による収納袋は、三辺１１、１３、１５を密閉し、残りの一辺１７を開口部１９とし、該開口部１９には折線１を介して封緘用の折返し片２を備えさせ、該折返し片２の端縁２５に沿って折返し片側接着部２７を設けてなる点において、上記従来の収納袋と同様である。
【００２２】
しかして、本発明においては、折返し片２における折返し片側接着部２７の折線１側の縁部２７ａ近傍に一本の弱め線２８を形成する。すなわち、該弱め線２８は、折返し片側接着部２７の折線１側の縁部２７ａに沿って、該縁部２７ａと平行に形成する。弱め線２８は、折返し片側接着部２７を折返し片２の残部から容易に切り離すことができるようにするために形成するものであって、一例としてミシン目とする。折返し片２における弱め線２８の端部には、好ましくは切り欠き３０を形成する。
【００２３】
収納袋本体８（裏面部９）には該折返し片側接着部２７に対応する本体側接着部２９を設ける。
【００２４】
本体側接着部２９における相対向する一対の長さ方向の縁部２９a、２９ａにはそれぞれ切り込み線３１、３１を形成し、該収納袋本体８における該切り込み線３１、３１間に接着剤３３を配設する。符号３５に示すものは、接着剤３３の剥離ライナーである。
【００２５】
図５、図６に示す事例においては、収納袋本体８を形成する紙材は、基材３７の表面に表面化粧層３９を備えている。この事例においては、前記各切り込み線３１、３１は、収納袋本体８を形成する紙材の表面化粧層３９よりも深く形成している。各切り込み線３１、３１は、連続した状態に形成するものであって、一例として、紙材の厚さの約２／１の深さに形成する。
【００２６】
前記本体側接着部２９の端部には、前記切り込み線３１、３１と直角の切り込み補助線４１を形成する。切り込み補助線４１は、本体側接着部２９の各端部に一本ずつ形成しもよいが、好ましくは、本体側接着部２９の各端部に複数本形成する。
【００２７】
図６に示す事例においては、前記切り込み補助線４１は、収納袋本体８を形成する紙材の表面化粧層３９よりも深く形成している。切り込み補助線４１は、連続した状態に形成するものであって、一例として、紙材の厚さの約２／１の深さに形成する。
【００２８】
図４において、符号４３、４５に示すものは糊代であり、符号４７、４９、５１に示すものは折線である。
【符号の説明】
【００２９】
１  折線
２  折返し片
３  端縁
４  接着部
５ａ  弱め線
５ｂ  弱め線
６  ジッパー
７  弱め線と折線との間の部分
８  収納袋本体
９  裏面部
１１  辺
１３  辺
１５  辺
１７  辺
１９  開口部
２５  端縁
２７  折返し片側接着部
２７ａ  縁部
２８  弱め線
２９  本体側接着部
２９ａ  縁部
３０  切り欠き
３１  切り込み線
３３  接着剤
３５  剥離ライナー
３７  基材
３９  表面化粧層
４１  切り込み補助線
４３  糊代
４５  糊代
４７  折線
４９  折線
５１  折線
【図１】
2011184055.tif 000003
【図２】
2011184055.tif 000004
【図３】
2011184055.tif 000005
【図４】
2011184055.tif 000006
【図５】
2011184055.tif 000007
【図６】
2011184055.tif 000008
【図７】
2011184055.tif 000009